(57)【要約】【課題】一般部用笠木とコーナー部用の役物笠木の突合せ端面を隙間や段差のないように精度良く合致させて、端正な連続性を形成するのに好適な手摺壁等のコーナー部における笠木取付構造及び笠木取付方法を提供する。【解決手段】断面蟻形の凸部２２と凹溝３３とが互いに嵌合し得るように形成された、雄部材２と雌部材３との対からなる接合部材のうち一方を、一般部用笠木４１又は役物笠木４２のいずれか一方の突合せ端面に取り付け、接合部材の他方を、他方の笠木の突合せ端面に形成した堀込部４３内部に取り付け、上記一方の笠木を手摺壁等の天端に取り付けた後、上記他方の笠木の突合せ端面を上記一方の笠木の突合せ端面に沿わせて摺動させつつ、雄部材２と雌部材３とを嵌合させることにより、両笠木４１、４２の突合せ端面を引き寄せて隙間無く接合する。【選択図】図５
2010059617.tif 000002
【特許請求の範囲】
【請求項１】
手摺壁等の直線状部分に取り付ける一般部用笠木（４１）と、コーナー部に取り付ける役物笠木（４２）とが別体に形成されて突合せ接合される笠木取付構造において、
上記一般部用笠木（４１）と役物笠木（４２）とは互いの突合せ端面が同一形状となされ、
断面蟻形の凸部（２２）と凹溝（３３）とが一方向に摺動しつつ互いに嵌合し得るように形成された、雄部材（２）と雌部材（３）との対からなる接合部材のうち、そのいずれか一方が、一般部用笠木（４１）又は役物笠木（４２）のいずれか一方の突合せ端面に取り付けられるとともに、いずれか他方が、一般部用笠木（４１）又は役物笠木（４２）のいずれか他方の突合せ端面に形成した堀込部（４３）内に取り付けられて、
上記雄部材（２）と雌部材（３）とを上記堀込部（４３）内で互いに嵌合させることにより、一般部用笠木（４１）と役物笠木（４２）の突合せ端面同士が引き寄せられて接合されることを特徴とする手摺壁等のコーナー部における笠木取付構造。
【請求項２】
請求項１に記載の手摺壁等のコーナー部における笠木取付構造において、
接合部材を構成する雄部材（２）は、背板部（２１）の前面略中央に突出する断面蟻形の凸部（２２）を有し、雌部材（３）は、背板部（３１）の前面両側部から突出して蟻形の凹溝（３３）を形成する一対の雌係合片（３２、３２）を有することを特徴とする手摺壁等のコーナー部における笠木取付構造。
【請求項３】
請求項２に記載の手摺壁等のコーナー部における笠木取付構造において、
雄部材（２）の凸部（２２）と雌部材（３）の凹溝（３３）には、摺動方向に沿うテーパが形成されたことを特徴とする手摺壁等のコーナー部における笠木取付構造。
【請求項４】
請求項１〜３のいずれか一項に記載の手摺壁等のコーナー部における笠木取付構造において、
接合部材を構成する雄部材（２）と雌部材（３）は互いの突合せ端面に沿う上下方向に摺動して嵌合することを特徴とする手摺壁等のコーナー部における笠木取付構造。
【請求項５】
請求項１〜３のいずれか一項に記載の手摺壁等のコーナー部における笠木取付構造において、
接合部材を構成する雄部材（２）と雌部材（３）は互いの突合せ端面に沿う横方向に摺動して嵌合することを特徴とする手摺壁等のコーナー部における笠木取付構造。
【請求項６】
手摺壁等の直線状部分に取り付ける一般部用笠木（４１）と、コーナー部に取り付ける役物笠木（４２）とを、互いの突合せ端面が同一形状となるように形成し、
断面蟻形の凸部（２２）と凹溝（３３）とが一方向に摺動しつつ互いに嵌合し得るように形成された、雄部材（２）と雌部材（３）との対からなる接合部材のうち、そのいずれか一方を、一般部用笠木（４１）又は役物笠木（４２）のいずれか一方の突合せ端面に取り付け、
上記接合部材の他方は、一般部用笠木（４１）又は役物笠木（４２）のいずれか他方の突合せ端面に堀込部（４３）を形成して、該堀込部（４３）の内部に取り付け、
上記接合部材の一方が取り付けられた一方の笠木を手摺壁等の天端に取り付けた後、
上記接合部材の他方が取り付けられた他方の笠木の突合せ端面を、上記一方の笠木の突合せ端面に沿わせて摺動させつつ、上記雄部材（２）と雌部材（３）とを上記堀込部（４３）内で互いに嵌合させることにより、上記両笠木（４１、４２）の突合せ端面同士を引き寄せて接合することを特徴とする手摺壁等のコーナー部における笠木取付方法。
【発明の詳細な説明】
【技術分野】
【０００１】
本発明は、家屋内の階段や吹抜け周りに設けられる手摺壁や腰壁（本発明において、「手摺壁等」と称する。）のコーナー部において、その天端に笠木を取り付けるための取付構造と取付方法に関する。なお、「手摺壁等」には、手摺子を主体として形成された、壁面材がほとんどない手摺構造物も含むものとする。
【背景技術】
【０００２】
階段や吹抜け周りに設けられる手摺壁等においては、その天端に手摺を兼ねる笠木が取り付けられる。この笠木の施工は、手摺壁等が屈曲して連続するコーナー部では、突合せ部分を上面視４５度にカットして留め加工とするのが一般的である。しかし、この留め加工を精度良く実施するのは面倒であり、留め合わせた継ぎ目に段差や隙間が生じて外観が悪くなったり、一方の鋭角的な先端が突出して安全性が損なわれたりすることがある。
【０００３】
このような問題を解決しようとした笠木の納まりとして、例えば特許文献１には、手摺壁等の直線状部分に取り付ける一般部用笠木と、手摺壁等のコーナー部に取り付ける役物笠木とを別体に形成し、一般部用笠木と役物笠木との突合せ部に段差目地を形成する納まりが提案されている。また、同文献には、役物笠木の厚みや幅を一般部用笠木の厚みや幅よりも大きくして、役物笠木の突合せ面に形成した凹部内に一般部用笠木の端部を挿し込むようにした納まりも提案されている。
【特許文献１】特開平８−１４４４６３号公報
【発明の開示】
【発明が解決しようとする課題】
【０００４】
上記特許文献１記載の納まりは、一般部用笠木とコーナー部用の役物笠木との間に、あえて高低差や段差目地を形成して笠木の連続性を切ることにより、段差やズレ、木目違い等を目立たなくしようとしたものであるから、意匠的にはやや端正さを欠き、あまり好ましくない。
【０００５】
そこで、本発明は、一般部用の笠木とコーナー部用の役物笠木の厚みや幅を揃え、互いの突合せ面も隙間や段差のないように精度良く合致させて、端正な連続性を形成するのに好適な手摺壁等のコーナー部における笠木取付構造及び笠木取付方法を提案するものである。
【課題を解決するための手段】
【０００６】
上記した目的を達成するため、本発明の手摺壁等のコーナー部における笠木取付構造は、手摺壁等の直線状部分に取り付ける一般部用笠木（４１）と、コーナー部に取り付ける役物笠木（４２）とが別体に形成されて突合せ接合される笠木取付構造において、上記一般部用笠木（４１）と役物笠木（４２）とは互いの突合せ端面が同一形状となされ、断面蟻形の凸部（２２）と凹溝（３３）とが一方向に摺動しつつ互いに嵌合し得るように形成された、雄部材（２）と雌部材（３）との対からなる接合部材のうち、そのいずれか一方が、一般部用笠木（４１）又は役物笠木（４２）のいずれか一方の突合せ端面に取り付けられるとともに、いずれか他方が、一般部用笠木（４１）又は役物笠木（４２）のいずれか他方の突合せ端面に形成した堀込部（４３）内に取り付けられて、上記雄部材（２）と雌部材（３）とを上記堀込部（４３）内で互いに嵌合させることにより、一般部用笠木（４１）と役物笠木（４２）の突合せ端面同士が引き寄せられて接合されることを特徴とする。
【０００７】
この笠木取付構造によれば、雄部材（２）と雌部材（３）との対からなる接合部材を介して、一般部用笠木（４１）と役物笠木（４２）の突合せ端面同士が精度よく接合され、端正な連続性を有するコーナー部の笠木意匠が形成される。
【０００８】
上記手摺壁等のコーナー部における笠木取付構造において、接合部材を構成する雄部材（２）は、背板部（２１）の前面略中央に突出する断面蟻形の凸部（２２）を有し、雌部材（３）は、背板部（３１）の前面両側部から突出して蟻形の凹溝（３３）を形成する一対の雌係合片（３２，３２）を有するものとすることができる。
【０００９】
さらに、雄部材（２）における凸部（２２）の中心軸に沿って窪み部（２３）を形成し、該窪み部（２３）内にビス孔（２６）が形成されもよいし、雌部材（３）における凹溝（３３）の底部に窪み部（３４）を形成して、該窪み部（３４）内にビス孔（３６）が形成されてもよい。このような構成によれば、雄部材（２）、雌部材（３）のそれぞれの背板部（２１、３１）を、笠木の突合せ端面に対して容易にビス固定することができ、かつ、そのビスが断面蟻形の嵌合面に干渉するのも回避することができる。雄部材（２）及び雌部材（３）は、樹脂成形品とするのが実用的である。ビス孔（２６、３６）は、取り付け位置の微調整を可能にするために、長孔とされていてもよい。
【００１０】
さらに、上記接合部材における雄部材（２）の凸部（２２）と雌部材（３）の凹溝（３３）には、摺動方向に沿うテーパが形成されていてもよい。この構成によれば、雄部材（２）と雌部材（３）との嵌合操作が容易になる。
【００１１】
さらに、上記手摺壁等のコーナー部における笠木取付構造においては、接合部材の取付方向の選択によって、雄部材（２）と雌部材（３）とが互いの突合せ端面に沿う上下方向に摺動して嵌合するように構成することもできるし、互いの突合せ端面に沿う横方向に摺動して嵌合するように構成することもできる。これにより、施工部位や笠木の断面形状に応じて、接合方向を好適に選択することが可能になる。
【００１２】
また、本発明の手摺壁等のコーナー部における笠木取付方法は、手摺壁等の直線状部分に取り付ける一般部用笠木（４１）と、コーナー部に取り付ける役物笠木（４２）とを、互いの突合せ端面が同一形状となるように形成し、断面蟻形の凸部（２２）と凹溝（３３）とが一方向に摺動しつつ互いに嵌合し得るように形成された、雄部材（２）と雌部材（３）との対からなる接合部材のうち、そのいずれか一方を、一般部用笠木（４１）又は役物笠木（４２）のいずれか一方の突合せ端面に取り付け、上記接合部材の他方は、一般部用笠木（４１）又は役物笠木（４２）のいずれか他方の突合せ端面に堀込部（４３）を形成して、該堀込部（４３）の内部に取り付け、上記接合部材の一方が取り付けられた一方の笠木を手摺壁等の天端に取り付けた後、上記接合部材の他方が取り付けられた他方の笠木の突合せ端面を、上記一方の笠木の突合せ端面に沿わせて摺動させつつ、上記雄部材（２）と雌部材（３）とを上記堀込部（４３）内で互いに嵌合させることにより、上記両笠木（４１、４２）の突合せ端面同士を引き寄せて接合することを特徴とする。
【００１３】
この笠木取付方法により、上記笠木取付構造を簡単に、かつ、精度良く実施することができ、端正な連続性を有する美麗な笠木意匠を得ることができる。また、この笠木取付方法は、施工部位や笠木の断面形状に応じて、雄部材（２）・雌部材（３）と、一般部用笠木（４１）・役物笠木（４２）との組合せや固定順序、接合方向を適切に選択することができるので、施工性の向上にも大いに寄与する。
【発明の効果】
【００１４】
上述のように構成される本発明の手摺壁等のコーナー部における笠木取付構造と笠木取付方法によれば、雄部材と雌部材との対からなる接合部材を介して、一般部用笠木と役物笠木の突合せ端面同士が引き寄せられて隙間やズレなく接合されるので、端正な連続性を有する美麗な笠木の意匠が得られる。
【００１５】
笠木の突合せ端面に接合部材を取り付ける作業は、予め工場の加工工程にて行うことができるので、加工品質を確保しやすく、事前の仮組みチェックも可能であり、施工性が著しく向上する。
【発明を実施するための最良の形態】
【００１６】
以下、本発明の実施の形態について説明する。
【００１７】
まず、本発明の手摺壁等のコーナー部における笠木取付構造及び笠木取付方法に使用される接合部材の詳細な構成について、図１〜４を参照しつつ説明する。
【００１８】
接合部材は、図１、２に示す雄部材２と、図３、４に示す雌部材３との対により構成される。雄部材２及び雌部材３はいずれも、適度な剛性と潤滑性を有する合成樹脂材料により成形される。
【００１９】
雄部材２は、略平板状の背板部２１と、背板部２１の前面から突出した凸部２２とを有する。背板部２１の大きさは縦横各２５±５ｍｍ程度、厚さは３±１ｍｍ程度である。
【００２０】
凸部２２は、この雄部材２を雌部材３に嵌合させる際の摺動方向となる対称中心軸２０に沿って、背板部２１の一辺（上辺）から対辺（下辺）まで略等幅で突出する。ただし、厳密には、雌部材３との嵌合時に先端になる側（図示の形態にあっては下側）が、後端になる側（同、上側）よりもやや細くなるよう、凸部２２の正面形状に若干のテーパが付与されている。対称中心軸２０との直交方向における凸部２２の断面は、基端側よりも前端側が拡幅した、いわゆる蟻形をなしている。背板部２１の前面からの突出寸法は５〜６ｍｍ程度である。
【００２１】
凸部２２の中央部分には、対称中心軸２０に沿って、断面略溝形の窪み部２３が形成されている。この窪み部２３によって凸部２２が２ヶ所に分割されるので、窪み部２３を挟んで対向する両側各部分を雄係合片２４と称する。つまり、凸部２２は一対の雄係合片２４、２４によって構成されている。
【００２２】
窪み部２３には、この雄部材２を笠木の突合せ端面に固定するためのビス孔２６が、背板部２１を貫通して形成されている。例示形態にあっては、ビス孔２６は対称中心軸２０に沿う２ヶ所に形成され、うち一ヶ所は、対称中心軸２０との直交方向に延びた長孔になっている。
【００２３】
なお、例示形態の雄部材２は、雌部材３との嵌合時に先端になる側（下側）の両角部が丸みを帯びた形状に加工されている。
【００２４】
雌部材３は、略平板状の背板部３１と、背板部３１の前面両側部から突出する一対の雌係合片３２、３２とを有する。背板部３１の大きさは雄部材２と略同一で縦横各２５±５ｍｍ程度、厚さは雄部材２よりもやや厚い７±１ｍｍ程度である。
【００２５】
一対の雌係合片３２、３２は、この雌部材３に雄部材２を嵌合させる際の摺動方向となる対称中心軸３０を挟んで対向している。そして、両雌係合片３２、３２間に形成される凹溝３３内に、上記雄部材２の凸部２２（雄係合片２４、２４）が嵌合される。したがって、凹溝３３の深さ（雌係合片３２の背板部３１からの突出寸法）は、上記雄部材２の凸部２２の突出寸法に略合致する。また、凹溝３３の幅（両雌係合片３２の対向間隔）は、雄部材２の凸部２２に付与した上記テーパに合わせて、雄部材２との嵌合時に入口になる側（図示の形態にあっては上側）が、奥になる側（同、下側）よりもやや広くなっている。対称中心軸３０との直交方向における凹溝３３の断面は、上記雄部材２の凸部２２の断面形状に合わせて、溝底側よりも前端側が縮幅した蟻形をなしている。
【００２６】
凹溝３３の中央部分には、対称中心軸３０に沿って、断面略溝形の窪み部３４が形成されている。窪み部３４は、凹溝３３の溝幅よりもやや狭い幅で背板部３１を堀り込んで形成されているので、その箇所にあっては、背板部３１の厚さが３±１ｍｍ程度になっている。
【００２７】
窪み部３４には、この雌部材３を笠木の突合せ端面に固定するためのビス孔３６が、背板部３１を貫通して形成されている。例示形態にあっては、ビス孔３６は中心部１ヶ所に形成されているが、雄部材２と同様に複数個形成されていてもよいし、ビス孔３６が長孔となされていてもよい。
【００２８】
なお、例示形態の雌部材３は、雄部材２との嵌合時に奥になる側（下側）の両角部が丸みを帯びた形状に加工されている。
【００２９】
図５は、上記接合部材を用いた手摺壁等のコーナー部における笠木取付構造及び笠木取付方法の概略を示す説明図であって、図中には２通りの実施形態を示している。同図において、符号４５は手摺壁等の天端に設けられる笠木取付用の下地材である。符号４１は手摺壁等の直線状部分に取り付けられる一般部用笠木であり、符号４２はコーナー部用の役物笠木である。一般部用笠木４１、役物笠木４２のいずれも、平坦な板材の両肩縁部を面取りした形状をなしており、突合せ端面の形状は同一である。
【００３０】
例示形態にあっては、一般部用笠木４１の突合せ端面に、上記接合部材のうちの雄部材２を２個、並べて取り付ける。また、役物笠木４２の突合せ端面には、底面側にも開口する堀込部４３を形成し、その内部に２個の雌部材３を、雄部材２と合致する位置に取り付ける。そして、まず先に、一般部用笠木４１を手摺壁の下地材４５に固定する。その固定手段は、例えば接着剤と、下地材４５側からの斜め釘との併用などによる。
【００３１】
次いで、役物笠木４２を一般部用笠木４１に突合せて接合する。本発明においては、この接合に際し、接合部材を上下方向に嵌合させる図中Ａの形態（これを第１実施形態とする。）と、接合部材を横方向に嵌合させる図Ｂの形態（これを第２実施形態とする。）との２通りの実施形態を選択することができる。以下、それぞれの形態について詳述する。
【００３２】
［第１実施形態］
接合部材を上下方向に摺動させて嵌合させる第１実施形態を、図６及び図７に示す。例示形態にあっては、一般部用笠木４１の突合せ端面に、２個の雄部材２、２が、横方向に並んで取り付けられる。雄部材２は、雌部材３との嵌合に際して先端になる側を上向きにし、その底面を一般部用笠木４１の底面に揃えて、一般部用笠木４１の突合せ端面にビス固定される。図示した形態では２個の雄部材２、２が接しているが、雄部材２同士が適当な間隔を隔てて離れていてもよい。この形態を、一般部用笠木４１の上方又は側方から見ると、突合せ端面に雄部材２が突出している。
【００３３】
一方、役物笠木４２の突合せ端面には、２個の雄部材２を納め得る大きさの堀込部４３が形成されて、その堀込部４３内に２個の雌部材３、３が取り付けられる。堀込部４３を突合せ端面側から見た奥行きは、雄部材２と雌部材３とを嵌合させた接合部材の厚さに合致している。また、堀込部４３の高さは接合部材の高さに合致し、堀込部４３の幅は接合部材を２個並べた幅に合致している。２個の雌部材３、３は、いずれも、雄部材２との嵌合に際して入口になる側を下向きにし、底面を役物笠木４２の底面に揃えて堀込部４３内に配置され、堀込部４３の奥側面にビス固定される。なお、雄部材２及び雌部材３の角部に丸みを形成したのは、それらを納めるための堀込部４３をルータで切削する場合に、その隅部が丸く加工されることに配慮したものである。
【００３４】
そして、先に一般部用笠木４１を下地材４５に対して固定し、その雄部材２に対して上方から雌部材３を嵌合させるようにして役物笠木４２を固定する。この実施形態によれば、後述する第２実施形態に比べて、堀込部４３の切削範囲を小さくすることができる。
【００３５】
［第２実施形態］
接合部材を横方向に摺動させて嵌合させる第２実施形態を、図８に示す。例示形態にあっては、一般部用笠木４１の突合せ端面に、２個の雄部材２、２が、横方向に並んで取り付けられる。２個の雄部材２、２は、少なくとも接合部材１個分の間隔をあけ、雌部材３との嵌合に際して先端になる側を横向きにし、その横向き姿勢における底面を一般部用笠木４１の底面に揃えて配置され、一般部用笠木４１の突合せ端面にビス固定される。この形態を一般部用笠木４１の上方又は側方から見ると、突合せ端面に雄部材２、２が突出している。
【００３６】
一方、役物笠木４２の突合せ端面には、上述した第１実施形態よりも幅の広い堀込部４３が形成されて、その堀込部４３内に２個の雌部材３、３が、雄部材２との嵌合に際して入口になる側を横向きにして取り付けられる。雌部材３は、横向き姿勢における底面を役物笠木４２の底面に揃えた状態で配置され、堀込部４３の奥側面にビス固定される。
【００３７】
堀込部４３を突合せ端面側から見た奥行きは、雄部材２と雌部材３とを嵌合させた接合部材の厚さに合致し、堀込部４３の高さは、横向き姿勢における接合部材の高さに合致しているが、堀込部４３の幅は、横向き姿勢の接合部材を少なくとも４個並べた大きさをなしている。この幅は、各雌部材３において雄部材２の入口になる側に、接続部材１個分のスペースを確保したものである。
【００３８】
役物笠木４２の施工に際しては、堀込部４３の上記スペースに雄部材２を挿し込むようにして一般部用笠木４１と役物笠木４２とを突合せ、その状態から役物笠木４２を横方向に摺動させることにより、雄部材２と雌部材３とを横方向に嵌合させる。このように接合部材を横向きに嵌合させる実施形態によれば、上述した第２実施形態に比べて、一般部用笠木４１と役物笠木４２との天面段差を小さくしやすいという利点がある。
【００３９】
上述した第１実施形態、第２実施形態のいずれにあっても、接合部材は、予め木材加工工場等において、一般部用笠木４１及び役物笠木４２の所定位置に固定しておくのが望ましい。ただし、一般部用笠木４１については、施工現場で所定長さにカットして、その端面に接合部材を取り付けるのも容易である。
【００４０】
一般部用笠木４１と役物笠木４２の接合手順としては、まず、接合部材が突合せ端面から突出している側、つまり上述の実施形態にあっては雄部材２を取り付けた一般部用笠木４１を下地材４５に対して先に固定する。次いで、突合せ端面に堀込部４３を形成した側、つまり上述の実施形態にあっては雌部材３を取り付けた役物笠木４２を、その堀込部４３を雄部材２に被せるようにして取り付ける。このような作業手順により、両笠木４１、４２同士が接合部材を介して隙間無く引き寄せられるとともに、接合部材が突合せ端面の堀込部４３内に隠れた美麗な仕上がりが得られる。
【００４１】
なお、本発明の他の実施形態として、接合部材を構成する雄部材２と雌部材３の位置関係を互いに入れ替えることもできる。つまり、一般部用笠木４１の突合せ端面に雌部材３を突出させて取り付ける一方、役物笠木４２の突合せ端面に堀込部４３を形成して雄部材２を取り付けるものである。この場合も、接合部材を上下方向に嵌合させる形態と、接合部材を横方向に嵌合させる形態の２通りを選択することが可能である。
【００４２】
また、本発明のさらに他の実施形態として、固定する笠木の先後順を入れ替えることもできる。つまり、役物笠木４２の突合せ端面に接合部材の一方を突出させて取り付けておき、一般部用笠木４１の突合せ端面には堀込部４３を形成して、相手方の接続部材を取り付けておく。そして、役物笠木４２を先に下地材４５に対して固定した後、それに合わせて一般部用笠木４１を取り付けるものである。この場合も、接合部材を上下方向に嵌合させる形態と、接合部材を横方向に嵌合させる形態の２通りを選択することが可能である。
【００４３】
このような接合形態の選択は、笠木の断面形状や施工部位の状況によって適切になされればよい。また、雄部材２及び雌部材３の詳細な形状についても、本発明の要旨を逸脱しない範囲で多少、改変可能である。
【図面の簡単な説明】
【００４４】
【図１】本発明に使用する接合部材のうち雄部材の構成を示す斜視図である。
【図２】上記雄部材の正面図（ａ）及び上面図（ｂ）である。
【図３】本発明に使用する接合部材のうち雌部材の構成を示す斜視図である。
【図４】上記雌部材の正面図（ａ）及び上面図（ｂ）である。
【図５】上記接合部材を用いた手摺壁等のコーナー部における笠木取付構造及び笠木取付方法の概略を示す説明図である。
【図６】接合部材を上下方向に嵌合させる第１実施形態の要部斜視図である。
【図７】上記第１実施形態における突合せ端面の正面図と上面図・断面図を組み合わせた説明図である。
【図８】接合部材を横方向に嵌合させる第２実施形態の要部斜視図である。
【符号の説明】
【００４５】
２  雄部材
２１  背板部
２２  凸部
２３  窪み部
２４  雄係合片
２６  ビス孔
３  雌部材
３１  背板部
３２  雌係合片
３３  凹溝
３４  窪み部
３６  ビス孔
４１  一般部用笠木
４２  役物笠木
４３  堀込部
【図１】
2010059617.tif 000003
【図２】
2010059617.tif 000004
【図３】
2010059617.tif 000005
【図４】
2010059617.tif 000006
【図５】
2010059617.tif 000007
【図６】
2010059617.tif 000008
【図７】
2010059617.tif 000009
【図８】
2010059617.tif 000010